(57)【要約】      （修正有）【課題】簡易な構成で雨水の屋内への侵入は防止する。【解決手段】換気装置において、建物の外壁に取り付けられるフード１０と、フードの側面の少なくとも一部とフードの側面の下端より下の所定の領域とを、側面から所定の間隔をとって覆うためのカバー部と、カバー部を外壁に取り付けるためにカバー部の両端部に設けられる取り付け部と、を備えたフード用風対策部材２０と、を備える。建物の外壁に取り付けられたフード用風対策部材２０の上端の位置は、建物の外壁に取り付けられたフード１０の上端の位置より低く、且つフード１０の下端の位置より高い位置にあり、建物の外壁に取り付けられたフード用風対策部材２０の下端の位置は、建物の外壁に取り付けられたフード１０の下端の位置より低く、フード１０の長さを超えない位置にあることが望ましい。【選択図】図２
2018076999.tif 000002
【特許請求の範囲】
【請求項１】
建物の外壁に取り付けられるフードと、
前記フードの側面の少なくとも一部、及び前記フードの側面の下端より下の所定の領域を、前記側面から所定の間隔をとって覆うためのカバー部と、前記カバー部を前記外壁に取り付けるために前記カバー部の両端部に設けられる取り付け部と、を備えたフード用風対策部材と、
を備えた換気装置。
【請求項２】
前記建物の外壁に取り付けられた前記フード用風対策部材の上端の位置は、前記建物の外壁に取り付けられた前記フードの上端の位置より低く、且つ前記フードの下端の位置より高い位置にあり、
前記建物の外壁に取り付けられた前記フード用風対策部材の下端の位置は、前記建物の外壁に取り付けられた前記フードの下端の位置より低く、前記フードの長さを超えない位置にある、請求項１に記載の換気装置。
【請求項３】
前記建物の外壁に取り付けられた前記フードの上端から前記フード用風対策部材の上端までの長さをｐ、前記フードの長さをｍとしたとき、前記建物の外壁に取り付けられた前記フード用風対策部材の上端の位置は、長さｐが３ｍ／４≧ｐ≧ｍ／３となるように決められている、請求項２に記載の換気装置。
【請求項４】
前記建物の外壁に取り付けられた前記フードの下端から前記フード用風対策部材の下端までの長さをｎ、前記フードの長さをｍとしたとき、前記建物の外壁に取り付けられた前記フード用風対策部材の下端の位置は、３ｍ／４≧ｎ≧ｍ／４となるように決められている、請求項２又は３に記載の換気装置。
【請求項５】
前記建物の外壁に取り付けられた前記フードの側面から前記フード用風対策部材の内側面までの間隔は、前記フードの奥行きの５％〜２０％である、請求項１から４のいずれか１項に記載の換気装置。
【請求項６】
前記建物の外壁に取り付けられた前記フードの側面から前記フード用風対策部材の内側面までの間隔は、前記フードの下端から前記フード用風対策部材の上端にいくに従って広がるようにされている、請求項１から５のいずれか１項に記載の換気装置。
【請求項７】
建物の外壁に取り付けられるフードの側面の少なくとも一部と前記フードの側面の下端より下の所定の領域とを、前記側面から所定の間隔をとって覆うためのカバー部と、前記カバー部を前記外壁に取り付けるために前記カバー部の両端部に設けられる取り付け部と、を備えたフード用風対策部材。
【請求項８】
前記フード用風対策部材の長さｑは、前記フードの長さを長さｍとしたとき、２ｍ≧ｑ≧ｍ／２の範囲にある請求項７に記載のフード用風対策部材。
【発明の詳細な説明】
【技術分野】
【０００１】
本発明は、換気装置及びフード用風対策部材に関する。
【背景技術】
【０００２】
従来より、室内の空気の換気のために、外壁に取り付けられるフードが知られており、このフードは、ウェザーカバー、屋外カバー、外用フード、又は換気フードと呼ばれている。
特許文献１には、フード部の下部に延出する筒形の開放通路に、上下方向に伸縮可能に設けられた筒形の延長通路部材と、モータで延長通路部材を伸縮させる駆動手段と、延長通路部材の位置を判定する位置判定手段と、雨量検知手段の雨検知出力および位置判定手段の判定に応じて駆動手段を制御する制御部と、を有するウェザーカバーの記載がある。このようなウェザーカバーにより、雨量検出し、延長通路部材を伸縮させることで、雨水の屋内への侵入を防止することができる。
【先行技術文献】
【特許文献】
【０００３】
【特許文献１】特許第４４７６７３２号（図１〜図４等）
【発明の概要】
【発明が解決しようとする課題】
【０００４】
上記のウェザーカバーは、モータで延長通路部材を伸縮させる駆動手段、延長通路部材の位置を判定する位置判定手段、及び雨量検知手段を必要とするために構成が複雑化する。
【０００５】
本発明は、簡易な構成で雨水の屋内への侵入は防止することができるフード用風対策部材を目的とする。
【課題を解決するための手段】
【０００６】
（１）本発明に係る換気装置は、建物の外壁に取り付けられるフードと、
前記フードの側面の少なくとも一部、及び前記フードの側面の下端より下の所定の領域を、前記側面から所定の間隔をとって覆うためのカバー部と、前記カバー部を前記外壁に取り付けるために前記カバー部の両端部に設けられる取り付け部と、を備えたフード用風対策部材と、を備えた換気装置である。
【０００７】
（２）上記（１）の換気装置は、前記建物の外壁に取り付けられた前記フード用風対策部材の上端の位置は、前記建物の外壁に取り付けられた前記フードの上端の位置より低く、且つ前記フードの下端の位置より高い位置にあり、
前記建物の外壁に取り付けられた前記フード用風対策部材の下端の位置は、前記建物の外壁に取り付けられた前記フードの下端の位置より低く、前記フードの長さを超えない位置にあることが望ましい。
【０００８】
（３）上記（２）の換気装置は、前記建物の外壁に取り付けられた前記フードの上端から前記フード用風対策部材の上端までの長さをｐ、前記フードの長さをｍとしたとき、前記建物の外壁に取り付けられた前記フード用風対策部材の上端の位置は、長さｐが３ｍ／４≧ｐ≧ｍ／３となるように決められていることが望ましい。
【０００９】
（４）上記（２）又は（３）の換気装置は、前記建物の外壁に取り付けられた前記フードの下端から前記フード用風対策部材の下端までの長さをｎ、前記フードの長さをｍとしたとき、前記建物の外壁に取り付けられた前記フード用風対策部材の下端の位置は、３ｍ／４≧ｎ≧ｍ／４となるように決められていることが望ましい。
【００１０】
（５）上記（１）〜（４）のいずれかの換気装置は、前記建物の外壁に取り付けられた前記フードの側面から前記フード用風対策部材の内側面までの間隔は、前記フードの奥行きの５％〜２０％であることが望ましい。
【００１１】
（６）上記（１）〜（５）のいずれかの換気装置は、前記建物の外壁に取り付けられた前記フードの側面から前記フード用風対策部材の内側面までの間隔は、前記フードの下端から前記フード用風対策部材の上端にいくに従って広がるようにされていることが望ましい。
【００１２】
（７）本発明に係るフード用風対策部材は、建物の外壁に取り付けられるフードの側面の少なくとも一部と前記フードの側面の下端より下の所定の領域とを、前記側面から所定の間隔をとって覆うためのカバー部と、前記カバー部を前記外壁に取り付けるために前記カバー部の両端部に設けられる取り付け部と、を備えたフード用風対策部材である。
【００１３】
（８）上記（７）のフード用風対策部材は、前記フード用風対策部材の長さｑは、前記フードの長さを長さｍとしたとき、２ｍ≧ｑ≧ｍ／２の範囲にあることが望ましい。
【発明の効果】
【００１４】
本発明によれば、簡易な構成で雨水の屋内への侵入は防止することができる。
【図面の簡単な説明】
【００１５】
【図１】本発明の第１の実施形態のフード用風対策部材とフードとを備えた換気装置を示す斜視図である。
【図２】第１の実施形態において、フードにフード用風対策部材を取り付けた状態を示す換気装置の斜視図である。
【図３】第１の実施形態において、フードにフード用風対策部材を取り付けた状態を上方向から見た上面図である。
【図４】第１の実施形態において、フード用風対策部材の風防止機能を説明するための縦断面図である。
【図５】第１の実施形態において、フード用風対策部材とフードとの大きさを説明するための縦断面図である。
【図６】本発明の第２の実施形態のフード用風対策部材と丸型フードとを備えた換気装置を示す斜視図である。
【図７】第２の実施形態において、丸型フードにフード用風対策部材を取り付けた状態を上方向から見た上面図である。
【図８】第２の実施形態において、フード用風対策部材の風防止機能を説明するための縦断面図である。
【図９】第２の実施形態において、フード用風対策部材とフードとの大きさを説明するための縦断面図である。
【図１０】本発明の第３の実施形態のフード用風対策部材とＵ字型フードとを備えた換気装置を示す斜視図である。
【図１１】第３の実施形態において、Ｕ字型フードにフード用風対策部材を取り付けた状態を上方向から見た上面図である。
【図１２】図４の構成の変形例を示す縦断面図である。
【発明を実施するための形態】
【００１６】
以下、本発明の実施形態について図面を用いて詳細に説明する。
（第１の実施形態）
図１は本発明の第１の実施形態のフード用風対策部材とフードとを備えた換気装置を示す斜視図である。図２はフードにフード用風対策部材を取り付けた状態を示す換気装置の斜視図である。図３はフードにフード用風対策部材を取り付けた状態を上方向から見た上面図である。図４はフード用風対策部材の風防止機能を説明するための縦断面図である。図５はフード用風対策部材とフードとの大きさを説明するための縦断面図である。
【００１７】
図１及び図２に示すように、フード用風対策部材２０はフード１０の側面を覆い、フード１０の側面に対して所定の間隔をとるように、建物の外壁にタッピングネジ等により取り付けられる。図３に示すように、フード用風対策部材２０は取り付け部２０ａとカバー部２０ｂとを備えている。カバー部２０ｂは、図２、図４及び図５に示すように、建物の外壁に取り付けられるフード１０の側面の少なくとも一部とフード１０の側面の下端より下の所定の領域を、フード１０側面から所定の間隔ｓをとって覆う。取り付け部２０ａは、フード用風対策部材２０を外壁に取り付けるためにカバー部２０ｂの両端部に設けられる。取り付け部２０ａでタッピングネジ等を用いて外壁に取り付けられる。
【００１８】
フード１０は図４に示すように、下端部が開口されて、その開口から換気扇３０によって室内の空気が換気されるようになっている。フード１０が吸気用の場合に換気扇３０が設けられない場合もある。
フード用風対策部材２０の形状及び大きさはフード１０の形状の大きさによって決められる。図３に示すように、フード１０の上部から見た形状が四角となっているために、フード用風対策部材２０は端部の取り付け部２０ａが折り曲げられたコの字状となっている。
フード用風対策部材２０の材質はアルミニウム、ステンレス、鋼板、プラスチック等が用いられるが、外観上の美観を考慮して、フード１０の材質と合わせることが望ましい。
【００１９】
図４に示すように、強風がフード１０とフード用風対策部材２０とに対して吹いた場合は、強風の一部Ｗ１は強風がフード１０とフード用風対策部材２０との間に入りこみ、下方向に吹き込む。また、強風の一部Ｗ２はフード用風対策部材２０の下から上方向に吹き込む。
風Ｗ２は風Ｗ１と衝突して上から押さえ込まれ、風Ｗ２が雨水とともに換気扇３０を介して屋内への侵入することを防止することができる。
【００２０】
フード用風対策部材２０の上端の位置は、フード１０の上端の位置より低く、フード１０の下端の位置より高ければよいが、図５に示すように、フード１０の上端からフード用風対策部材２０の上端までの長さをｐ、フード１０の長さをｍとしたとき、長さｐが長さ３ｍ／４以下で長さｍの１／３以上（３ｍ／４≧ｐ≧ｍ／３）となるように、フード用風対策部材２０の上端の位置を決めることが望ましい。
【００２１】
また、フード１０の側面からフード用風対策部材２０の内側面までの間隔ｓは風がフード１０とフード用風対策部材２０との間に入り込めるような間隔に設定されればよいが、フード１０の奥行きｄの５％〜２０％が望ましく、７％〜１５％が更に望ましい。なお、間隔ｓはフード１０の側面とフード用風対策部材２０の内側面との間において全て同一である必要はなく、図３に示すように、例えば、フード１０の前側面からフード用風対策部材２０の前内側面までの間隔を間隔ｓｆ、フード１０の右側面、左側面からフード用風対策部材２０の右内側面、左内側面までの間隔を間隔ｓｓとしたとき、ｓｆ＞ｓｓとなるように設定してもよい。
【００２２】
フード用風対策部材２０の下端の位置は、フード用風対策部材２０の下端の位置が高すぎると下端から入り込む風の量が増大し、フード用風対策部材２０の下端の位置が低すぎると換気扇３０の排気効率が低下するので、入り込む風の量と排気効率を考慮して適宜設定される。具体的には、フード用風対策部材２０の下端の位置はフード１０の下端の位置より低く、フード１０の長さｍを超えなければよいが、図５に示すように、フード１０の下端からフード用風対策部材２０の下端までの長さをｎとしたとき、３ｍ／４≧ｎ≧ｍ／４となるようにフード用風対策部材２０の下端の位置を決めることが望ましい。
【００２３】
フード用風対策部材２０の長さｑはフード用風対策部材２０の上端の位置とフード用風対策部材２０の下端の位置との設定に基づいて適宜決められるが、２ｍ≧ｑ≧ｍ／２であることが好ましい。
【００２４】
（第２の実施形態）
図６は本発明の第２の実施形態のフード用風対策部材と丸型フードとを備えた換気装置を示す斜視図である。図７は丸型フードにフード用風対策部材を取り付けた状態を上方向から見た上面図である。図８はフード用風対策部材の風防止機能を説明するための縦断面図である。
【００２５】
図６に示すように、フード用風対策部材２１は丸型フード１１の側面を覆い、丸型フード１１の側面に対して所定の間隔をとるように、建物の外壁にタッピングネジ等により取り付けられる。フード用風対策部材２１は、取り付け部２１ａとカバー部２１ｂとを備えている。カバー部２１ｂは、建物の外壁に取り付けられるフード１１の側面の少なくとも一部とフード１１の側面の下端より下の所定の領域を、フード１１の側面から所定の間隔ｓをとって覆う。取り付け部２１ａは、フード用風対策部材２１を外壁に取り付けるためにカバー部２１ｂの両端部に設けられる。取り付け部２１ａでタッピングネジ等を用いて外壁に取り付けられる。
丸型フード１１は図６及び図８に示すように、下端部の一部が開口されて、その開口からダクト３１によって室内の空気が換気されるようになっている。
【００２６】
フード用風対策部材２１の形状及び大きさは丸型フード１０の形状及び大きさによって決められる。図７に示すように、丸型フード１１の上部から見た形状が半円となっているために、フード用風対策部材２１は端部の取り付け部２１ａが折り曲げられた半円状となっている。
【００２７】
フード用風対策部材２１の材質は第１の実施形態のフード用風対策部材２０の材質と同様にアルミニウム、ステンレス、鋼板、プラスチック等が用いられるが、外観上丸型フード１１の材質と合わせることが望まししい。
【００２８】
図８に示すように、強風が丸型フード１１とフード用風対策部材２１と対して吹いた場合は、強風の一部Ｗ１は強風が丸型フード１１とフード用風対策部材２１との間に入りこみ、下方向に吹き込む。また、強風の一部Ｗ２はフード用風対策部材２１の下から上方向に吹き込む。
風Ｗ２は風Ｗ１と衝突して上から押さえ込まれ、風Ｗ２が雨水とともに屋内への侵入することを防止することができる。
【００２９】
図９に示すフード用風対策部材２１と丸型フード１１との位置関係は、図５を用いて説明したフード用風対策部材２０とフード１０との位置関係と同じなので、同一符号を付して説明を省略する。ただし、図９においては、丸型フード１１の上端からフード用風対策部材２１の上端までの長さをｐ、丸型フード１０の上端から開口の上端までの長さをｍ、丸型フード１１の側面からフード用風対策部材２１の内側面までの間隔をｓ、丸型フード１０の奥行きをｄとしている。なお、間隔ｓは丸型フード１１の側面とフード用風対策部材２１の内側面との間において全て同一である必要はないことは勿論である。
【００３０】
（第３の実施形態）
図１０は本発明の第３の実施形態のフード用風対策部材とＵ字型フードとを備えた換気装置を示す斜視図である。図１１はＵ字型フードにフード用風対策部材を取り付けた状態を上方向から見た上面図である。本実施形態のフード用風対策部材２２と第１の実施形態のフード用風対策部材２０との違いは、図１０及び図１１に示すようにフードがＵ字型フード１２となっているために、フード用風対策部材２２の形状もＵ字型フード１２の形状の形状に合うようにフード用風対策部材２２は端部の取り付け部２２ａが折り曲げられたＵ字型形状となっている点である。
【００３１】
フード用風対策部材２２は、取り付け部２２ａとカバー部２２ｂとを備えている。カバー部２２ｂは、建物の外壁に取り付けられるフード１２の側面の少なくとも一部とフード１２の側面の下端より下の所定の領域を、フード１２の側面から所定の間隔ｓをとって覆う。取り付け部２２ａは、フード用風対策部材２２を外壁に取り付けるためにカバー部２２ｂの両端部に設けられる。取り付け部２２ａでタッピングネジ等を用いて外壁に取り付けられる。
【００３２】
フード用風対策部材２２の材質は第１の実施形態のフード用風対策部材２０の材質と同様に選択することができる。フード用風対策部材２２の風防止機能、及びフード用風対策部材２２とＵ字型フード１２との位置関係は第１の実施形態において図４及び図５を用いて既に説明したフード用風対策部材２０の風防止機能、及びフード用風対策部材２０とフード１０との位置関係と同様なので、説明を省略する。なお、間隔ｓはＵ字型フード１２の側面とフード用風対策部材２２の内側面との間において全て同一である必要はないことは勿論である。
【００３３】
以上説明した各実施形態では、フードの側面からフード用風対策部材の内側面までの間隔ｓがフードの下端からフード用風対策部材の上端までにおいて同一として説明したが、各実施形態において、フードの下端からフード用風対策部材の上端にいくに従って間隔が広くなるようにしてもよい。
図１２は一例として、図４の構成の変形例を示すもので、フード１０の下端からフード用風対策部材２０の上端にいくに従って間隔が間隔ｓ２から間隔ｓ１と広がるようにしている（Ｓ１＞Ｓ２）。このようにすることで、フード１０とフード用風対策部材２０との間に入りこみ、下方向に吹き込む風の量が増大し、風Ｗ２を押さえ込む効果を向上させ、風Ｗ２が雨水とともに換気扇３０を介して屋内への侵入することをより効果的に防止することができる。間隔ｓ１及びｓ２は任意に決めてよいが、フードの奥行きの５％〜２０％に設定することが望ましい。
【符号の説明】
【００３４】
１０  フード
１１  丸型フード
１２  Ｕ字型フード
２０、２１、２２  フード用風対策部材
【図１】
2018076999.tif 000003
【図２】
2018076999.tif 000004
【図３】
2018076999.tif 000005
【図４】
2018076999.tif 000006
【図５】
2018076999.tif 000007
【図６】
2018076999.tif 000008
【図７】
2018076999.tif 000009
【図８】
2018076999.tif 000010
【図９】
2018076999.tif 000011
【図１０】
2018076999.tif 000012
【図１１】
2018076999.tif 000013
【図１２】
2018076999.tif 000014